(57)【要約】【課題】物品をコンパクトに梱包でき、かつ、安定して効果的に陳列できる陳列梱包体を提供する。【解決手段】梱包箱１と、その内部に挿入されるトレー２とから成り、梱包時には、トレー２を折り曲げて梱包箱１に収納しておき、陳列時には、梱包箱１からトレー２を取り出して、トレー２の折り曲げを伸ばし、梱包箱１の対向する起立壁にトレー２を掛け渡すようにする。また、トレー２の両側に振り分けて内容物を収納し、内容物の突出部をトレー２の底壁３から下方へ突出させ、梱包時にトレー２を山形に折り曲げたとき、内容物の突出部が交差するようにする。【選択図】図１
2006264756.tif 000002
【特許請求の範囲】
【請求項１】
梱包箱と、その内部に挿入されるトレーとから成り、梱包時には、トレーを折り曲げて梱包箱に収納しておき、陳列時には、梱包箱からトレーを取り出して、トレーの折り曲げを伸ばし、梱包箱の対向する起立壁にトレーを掛け渡すようにした陳列梱包体。
【請求項２】
請求項１に記載の陳列梱包体において、トレーを折曲可能とするため、トレーの対向する側壁を、底壁の折曲線の両端位置で分割したことを特徴とする陳列梱包体。
【請求項３】
請求項１又は２に記載の陳列梱包体において、トレーの両側に振り分けて内容物を収納し、内容物の突出部をトレーの底壁から下方へ突出させ、梱包時にトレーを山形に折り曲げたとき、内容物の突出部が交差するようにしたことを特徴とする陳列梱包体。
【請求項４】
請求項１又は２に記載の陳列梱包体において、複数のトレーを積み重ね、又は横に並べて梱包箱に収納したことを特徴とする陳列梱包体。
【発明の詳細な説明】
【技術分野】
【０００１】
この発明は、物品の梱包及び陳列に使用する陳列梱包体に関するものである。
【背景技術】
【０００２】
従来、下記特許文献１に示すように、箱体内に仕切台座を挿入し、梱包時には、仕切台座を平坦に伸ばして箱体に内接させておき、陳列時には、仕切台座を山形に折り曲げて、台座に載せた物品を傾斜させ、陳列効果を高めるようにした陳列梱包体が知られている。
【０００３】
【特許文献１】実公昭４９−３６５７８号公報
【発明の開示】
【発明が解決しようとする課題】
【０００４】
しかしながら、上記のような陳列梱包体では、梱包時に平坦に伸ばした仕切台座を収納するため、箱体の外寸を大きくする必要があり、陳列時には、仕切台座を箱体との摩擦で山形に折り曲げた状態に保持するため、仕切台座が安定しないという問題があった。
【０００５】
そこで、この発明は、物品をコンパクトに梱包でき、かつ、安定して効果的に陳列できる陳列梱包体を提供することを課題とする。
【課題を解決するための手段】
【０００６】
上記課題を解決するため、この発明は、梱包箱と、その内部に挿入されるトレーとから成り、梱包時には、トレーを折り曲げて梱包箱に収納しておき、陳列時には、梱包箱からトレーを取り出して、トレーの折り曲げを伸ばし、梱包箱の対向する起立壁にトレーを掛け渡すようにしたのである。
【０００７】
また、この陳列梱包体において、トレーを折曲可能とするため、トレーの対向する側壁を、底壁の折曲線の両端位置で分割したのである。
【０００８】
さらに、この陳列梱包体において、トレーの両側に振り分けて内容物を収納し、内容物の突出部をトレーの底壁から下方へ突出させ、梱包時にトレーを山形に折り曲げたとき、内容物の突出部が交差するようにしたのである。
【０００９】
そのほか、多数の商品を効率よく梱包するため、複数のトレーを積み重ね、又は横に並べて梱包箱に収納するようにしたのである。
【発明の効果】
【００１０】
この陳列梱包体では、梱包時にはトレーを折り曲げているので、小型の梱包箱を使用して、効率的に輸送や保管を行うことができる。また、陳列時には、トレーを対向する起立壁に掛け渡せるように大きく伸ばすので、陳列効果が高まり、トレーを梱包箱により水平状態で安定的に支持することができる。
【発明を実施するための最良の形態】
【００１１】
以下、この発明の実施形態を添付図面に基づいて説明する。
【００１２】
この陳列梱包体は、図１に示すように、粘着ロール式カーペットクリーナーＣの梱包に使用される段ボール製のものであり、梱包箱１と、その内部に挿入されるトレー２とから構成される。
【００１３】
トレー２のブランクでは、図２に示すように、底壁３の一対の辺に側壁４が、他対の辺に側壁５がそれぞれ連設され、底壁３には、梱包時の折曲を可能とするため、中間部に他対の辺に亘って２本の折曲線６が入れられている。底壁３の折曲線６の両側方には、円形の挿通穴７及びこれに連通するスリット状のガイド穴８が５個ずつ並んで形成され、２本の折曲線６の間には、２個の指穴９が設けられている。
【００１４】
側壁４は、底壁３から順次繋がる外側板１０、額縁板１１及び内側板１２から成り、内側板１２の先端には係合突起１３が、底壁３の外側板１０との境界沿いには係合穴１４がそれぞれ設けられている。
【００１５】
側壁５は、折曲線６を挟んで分割され、中央側へかけて高さが低くなる三角形状とされている。側壁５の外縁には折曲片１５が連設され、側壁５の基端には脚片１６が底壁３への切込により設けられている。
【００１６】
このブランクからトレー２を組み立てるには、図３に示すように、底壁３から側壁５を起立させ、折曲片１５を内側へ折り曲げ、側壁４の外側板１０、額縁板１１及び内側板１２を巻き込むように折り曲げて、外側板１０と内側板１２とで折曲片１５を挟持し、係合突起１３を係合穴１４に係合させる。
【００１７】
このように組み立てたトレー２を使用してカーペットクリーナーＣを梱包するには、トレー２の両側にカーペットクリーナーＣを振り分けて収納し、カーペットクリーナーＣのハンドルｈを底壁３の挿通穴７から下方へ突出させ、ロールの支持棒をガイド穴８に沿ってスライドさせることにより、カーペットクリーナーＣを底壁３から抜け止めする。
【００１８】
この状態で、トレー２を指穴９に指を入れて持ち上げると、トレー２は、底壁３が折曲線６に沿って山形に折れ曲がり、カーペットクリーナーＣのハンドルｈが交差して、コンパクトなブロック状となるので、図１に示すように、比較的小型の梱包箱１に、内部のスペースを有効に利用して、トレー２を２段重ねで挿入することができる。
【００１９】
また、梱包箱１として、背が高いものを使用し、３段以上のトレー２を積み重ねて梱包箱１に収納するようにしてもよく、梱包する商品やトレー２の形態によっては、複数のトレーを横に並べて梱包箱１に収納してもよい。
【００２０】
なお、このとき、隣接するトレー２の間には、カーペットクリーナーＣの損傷を防止するため、段ボール製の仕切板１７を挟んでおくとよい。また、梱包箱１の裏面には、箱の製造時に、全周に亘って分割用のカットテープ１８を貼着し、その摘み部１９を切込により形成しておくとよい。
【００２１】
一方、店頭でカーペットクリーナーＣを陳列する際には、梱包箱１の天面を開口させ、指穴９に指を入れ、上段のトレー２を持ち上げて、梱包箱１から取り出し、図４に示すように、トレー２の折り曲げを伸ばして、梱包箱１と長さ方向が一致するようにトレー２を９０°旋回させ、梱包箱１の対向する側壁に水平に掛け渡すように載置する。
【００２２】
このような陳列状態では、トレー２が梱包箱１から張り出すように大きく伸ばされているので、視認性の高い陳列が可能となり、また、トレー２が梱包箱１に水平な状態で安定的に支持され、脚片１６でずれ止めされているので、店内の歩行者等が不意に触れても、陳列状態が崩れることがない。
【００２３】
また、上段のトレー２に収納したカーペットクリーナーＣが売り切れた場合には、カットテープ１８を摘み部１９から引っ張って梱包箱１を上下に分割し、図５に示すように、下段のトレー２を梱包箱１から取り出して、梱包箱１の下方部分に載置するとよい。
【００２４】
そのほか、開梱時に２個のトレー２を横に並べて陳列する場合にも、梱包箱１を上下に分割して、その上方部分及び下方部分にそれぞれトレー２を載置するとよい。
【００２５】
なお、この実施形態では、梱包箱１として四角柱状のものを示したが、梱包箱１は、六角柱状や円柱状のものであってもよい。また、梱包箱１の対向する側壁にトレー２を掛け渡すようにしたが、梱包箱１の内部に仕切壁を設ける場合には、対向する２枚の仕切壁又は仕切壁と側壁にトレー２を掛け渡すようにしてもよい。
【図面の簡単な説明】
【００２６】
【図１】この発明の実施形態に係る陳列梱包体の梱包状態を示す斜視図
【図２】同上のトレーのブランクを示す図
【図３】同上のトレーの組立状態を山形に折り曲げて示す斜視図
【図４】同上の上段側トレーの陳列状態を示す斜視図
【図５】同上の下段側トレーの陳列状態を示す斜視図
【符号の説明】
【００２７】
１  梱包箱
２  トレー
３  底壁
４，５  側壁
６  折曲線
７  挿通穴
８  ガイド穴
９  指穴
１０  外側板
１１  額縁板
１２  内側板
１３  係合突起
１４  係合穴
１５  折曲片
１６  脚片
Ｃ  カーペットクリーナー
ｈ  ハンドル
【図１】
2006264756.tif 000003
【図２】
2006264756.tif 000004
【図３】
2006264756.tif 000005
【図４】
2006264756.tif 000006
【図５】
2006264756.tif 000007